(57)【要約】【課題】優れた強度、表面硬度、耐荷重性、軽量性および意匠性を有する押入の中段棚用前框を提供する。【解決手段】上面前後方向中間部に長手方向に沿って係合溝１０２が設けられ、棚板本体の下面前端部に設けられた係合凸部が上記係合溝に挿入される中段棚用前框を、竹からなる竹材層１０４、１０８と、早成樹植林木からなる木材層１０６、１１０とを積層した複層材により形成する。また、少なくとも厚さ方向前端層１０４および厚さ方向中間層１０８を竹材層で形成するとともに、上記係合溝の前壁面１１２に、上記竹材層からなる厚さ方向中間層を露出させる。【選択図】図１
2013185362.tif 000002
【特許請求の範囲】
【請求項１】
上面前後方向中間部に長手方向に沿って係合溝が設けられ、棚板本体の下面前端部に設けられた係合凸部が前記係合溝に挿入される中段棚用前框であって、
竹からなる竹材層と早成樹植林木または間伐木からなる木材層とを積層した複層材により形成され、かつ、少なくとも厚さ方向前端層および厚さ方向中間層が前記竹材層からなるとともに、前記係合溝の前壁面に、前記竹材層からなる厚さ方向中間層が露出していることを特徴とする押入の中段棚用前框。
【請求項２】
厚さ方向後端層が前記竹材層からなる請求項１に記載の中段棚用前框。
【請求項３】
前記早成樹植林木または間伐木が、ファルカタ、ポプラ、アカシア、杉および桧から選ばれる１種または２種以上であることを特徴とする請求項１または２に記載の中段棚用前框。
【請求項４】
後面上下中間部に長手方向に沿って係合溝が設けられ、棚板本体が固定される前側受桟の前端部が前記係合溝に挿入される枕棚用前框であって、
竹からなる竹材層と早成樹植林木または間伐木からなる木材層とを積層した複層材により形成され、かつ、少なくとも厚さ方向前端層および厚さ方向後端層が前記竹材層からなることを特徴とする押入の枕棚用前框。
【請求項５】
前記係合溝の底壁面に、前記竹材層からなる厚さ方向後端層が露出している請求項４に記載の枕棚用前框。
【請求項６】
前記早成樹植林木または間伐木が、ファルカタ、ポプラ、アカシア、杉および桧から選ばれる１種または２種以上であることを特徴とする請求項４または５に記載の中段棚用前框。
【発明の詳細な説明】
【技術分野】
【０００１】
本発明は、押入の中段棚を施工する際に用いる中段棚用前框および枕棚を施工する際に用いる枕棚用前框に関する。
【背景技術】
【０００２】
従来、押入の内部には、中段棚や枕棚が設けられている（例えば、特許文献１、２参照）。
【０００３】
図５は、押入の中段棚を示す概略断面図である。本例の中段棚１０において、１２は前框、１４は棚板本体、１６は受桟を示す。前框１２は、四角形の板材の上面前後方向中間部に長手方向に沿って係合溝１８が設けられているとともに、係合溝１８の前方に前側突出部２０、係合溝１８の後方に上記前側突出部２０よりも高さが低い後側突出部２２が形成されている。棚板本体１４は、四角板状のもので、前端部下面に係合凸部２４、その後方に係合凹部２６が形成されている。受桟１６は、四角棒状のものである。
【０００４】
本例の中段棚１０を施工する場合、前框１２および受桟１６を押入内に取り付け、棚板本体１４の係合凸部２４を前框１２の係合溝１８に挿入し、前框１２の後側突出部２２を棚板本体１４の係合凹部２６に挿入した状態で、棚板本体１４を前框１２および受桟１６に固定する。
【０００５】
図６は、押入の枕棚を示す概略断面図である。本例の枕棚４０において、４２は前框、４４は棚板本体、４６は前側受桟、４８は後側受桟、５０は横側受桟を示す。前框４２は、四角形の板材の後面上下中間部に長手方向に沿って係合溝５２が設けられている。棚板本体４４は、四角板状のものである。前側受桟４６、後側受桟４８および横側受桟５０は、四角棒状のものである。
【０００６】
本例の枕棚４０を施工する場合、前側受桟４６の前端部を前框４２の係合溝５２に挿入した状態で、前框４２、前側受桟４６、後側受桟４８および横側受桟５０を押入内に取り付け、棚板本体４４を前側受桟４６、後側受桟４８および横側受桟５０に固定する。
【先行技術文献】
【特許文献】
【０００７】
【特許文献１】実公平７−４１７８３号公報
【特許文献２】特開平７−２８６４３１号公報
【発明の概要】
【発明が解決しようとする課題】
【０００８】
従来、前述した押入の中段棚用前框および枕棚用前框は、天然の無垢木材によって作製されている。一方、押入の中段棚用前框および枕棚用前框としては、優れた強度、耐荷重性、表面硬度、軽量性および意匠性を有するものが好ましい。
【０００９】
しかしながら、上述したような優れた強度、耐荷重性、表面硬度、軽量性および意匠性を有し、中段棚用前框および枕棚用前框の材料として好適に用いることができる天然の無垢木材は、近年入手が非常に難しくなっている。
【００１０】
本発明は、上述した事情に鑑みてなされたもので、優れた強度、耐荷重性、表面硬度、軽量性および意匠性を有する押入の中段棚用前框および枕棚用前框を提供することを目的とする。
【課題を解決するための手段】
【００１１】
本発明は、前記目的を達成するため、上面前後方向中間部に長手方向に沿って係合溝が設けられ、棚板本体の下面前端部に設けられた係合凸部が前記係合溝に挿入される中段棚用前框であって、竹からなる竹材層と早成樹植林木または間伐木からなる木材層とを積層した複層材により形成され、かつ、少なくとも厚さ方向前端層および厚さ方向中間層が前記竹材層からなるとともに、前記係合溝の前壁面に、前記竹材層からなる厚さ方向中間層が露出していることを特徴とする押入の中段棚用前框を提供する。
【００１２】
本発明の中段棚用前框は、硬度・強度が高く、撓みにくい竹材層と、軽量で軟らかい木材層とを積層した複層材からなるため、両材料の特性の相乗作用により、硬質でありながら軽量であり、かつ、寸法安定性・棚板本体を支える強度（耐荷重性）・加工性が良好であるとともに、小断面で長尺の中段棚用前框における通直性が良いという優れた性能を示す。また、本発明の中段棚用前框は、厚さ方向前端層が硬度・強度・意匠性に優れた竹材層からなるため、前面の表面硬度・意匠性に優れている。さらに、発明の中段棚用前框は、係合溝の前壁面に、硬度・強度が高い竹材層が露出しているため、施工時に棚板本体の係合凸部が上記係合溝の前壁面に接触したときに、係合溝の前壁面が損傷することがない。
【００１３】
また、本発明の中段棚用前框において、厚さ方向後端層が竹材層からなる構成とした場合には、中段棚用前框の強度、表面硬度、耐荷重性をより向上させることができる。
【００１４】
本発明は、前記目的を達成するため、後面上下中間部に長手方向に沿って係合溝が設けられ、棚板本体が固定される前側受桟の前端部が前記係合溝に挿入される枕棚用前框であって、竹からなる竹材層と早成樹植林木または間伐木からなる木材層とを積層した複層材により形成され、かつ、少なくとも厚さ方向前端層および厚さ方向後端層が前記竹材層からなることを特徴とする押入の枕棚用前框を提供する。
【００１５】
本発明の枕棚用前框は、硬度・強度が高く、撓みにくい竹材層と、軽量で軟らかい木材層とを積層した複層材からなるため、両材料の特性の相乗作用により、硬質でありながら軽量であり、かつ、寸法安定性・棚板本体を支える強度（耐荷重性）・加工性が良好であるとともに、小断面で長尺の枕棚用前框における通直性が良いという優れた性能を示す。また、本発明の枕棚用前框は、厚さ方向前端層が硬度・強度・意匠性に優れた竹材層からなるため、前面の表面硬度・意匠性に優れている。さらに、発明の枕棚用前框は、上部後面に、硬度・強度が高い竹材層が露出しているため、施工時に棚板本体が上部後面に接触したときに、上部後面が損傷することがない。
【００１６】
また、本発明の枕棚用前框において、前記係合溝の底壁面に、竹材層からなる厚さ方向後端層が露出している構成とした場合には、施工時に前側受桟の前端部が上記係合溝の底壁面に接触したときに、係合溝の底壁面が損傷することがない。
【００１７】
本発明おいて、竹としては、肉厚が厚く、直径が大きく、高さが高い竹を用いることが、強度および硬度が高い点、加工適性の点で好ましく、例えば、モウソウチク、トウチク等の１種または２種以上を好適に用いることができる。
【００１８】
本発明おいて、早成樹植林木とは、１５年以下、好ましくは１０年以下で成木となる植林木をいう。間伐木とは、植林木の間伐により得られる成木前の木をいう。早成樹植林木および間伐木は、軟らかく軽量である。本発明おいて、早成樹植林木としては、例えば、ファルカタ、ポプラ、アカシア、パリカ、ユーカリ等が挙げられるが、軽量である点、軟らかく加工しやすい点、通気性に富む点、植樹から６年程度で成木となる点で、特にファルカタが好ましい。また、間伐木としては、杉、桧等が挙げられる。なお、本発明では、上述した早成樹植林木の間伐木を用いることもできる。
【００１９】
本発明に用いる複層材は、竹材層と木材層とを接着剤により接合したものである。この場合、接着剤としては、ユリア樹脂、メラミン樹脂、フェノール樹脂、フェノール−ホルムアルデヒド樹脂等が挙げられる。また、竹材層および木材層の接着面に、エンボス加工等によって凹凸を設けることにより、異質材同士の接着強度を高くすることができるとともに、反り、歪みを防ぎ、通直性（製品が真っ直ぐであるという性質）を得ることができる。
【発明の効果】
【００２０】
本発明に係る押入の中段棚用前框および枕棚用前框は、優れた強度、耐荷重性、表面硬度、軽量性および意匠性を有する。
【図面の簡単な説明】
【００２１】
【図１】本発明に係る中段棚用前框の一実施形態を示す断面図である。
【図２】本発明に係る中段棚用前框の他の実施形態を示す断面図である。
【図３】本発明に係る枕棚用前框の一実施形態を示す断面図である。
【図４】本発明に係る枕棚用前框の他の実施形態を示す断面図である。
【図５】従来の押入の中段棚の施工例を示す概略断面図である。
【図６】従来の押入の枕棚の施工例を示す概略断面図である。
【発明を実施するための形態】
【００２２】
以下、本発明を図面に示す実施形態により説明する。
【００２３】
（第1実施形態）
図１は、本発明に係る中段棚用前框の一実施形態を示す断面図である。本例の中段棚用前框１００は、図５に示した中段棚用前框と同形状のものであり、上面前後方向中間部に長手方向に沿って係合溝１０２が設けられ、棚板本体の下面前端部に設けられた係合凸部が上記係合溝１０２に挿入されるものである。なお、図中２０は前記と同様の前側突出部２０、２２は前記と同様の後側突出部２２を示す。
【００２４】
本例の中段棚用前框１００は、竹（本例ではモウソウチクを使用）からなる竹材層と、早成樹植林木（本例ではファルカタを使用）からなる木材層とを交互に積層した４層構造の複層材により形成されている。具体的には、上記複層材は、いずれも単板状の第１竹材層（厚さ方向前端層）１０４、第１木材層１０６、第２竹材層（厚さ方向中間層）１０８および第２木材層１１０を接着剤により接合したものである。本例では、第１竹材層１０４の厚みは３ｍｍ、第１木材層１０６の厚みは７ｍｍ、第２竹材層１０４の厚みは３ｍｍ、第２木材層１１０の厚みは１７ｍｍであるが、これらの層の厚みは適宜設定することができる。また、本例では、各層の接着面に、鋸刃によるエンボス加工によって凹凸が設けられている。
【００２５】
そして、係合溝１０２の前壁面１１２に厚さ方向中間層である第１竹材層１０８が露出している。
【００２６】
本例の中段棚用前框１００を用いた中段棚の施工方法は、図５に示したのと同様である。
【００２７】
（第２実施形態）
図２は、本発明に係る中段棚用前框の他の実施形態を示す断面図である。本例の中段棚用前框１５０は、図１に示した中段棚用前框において、厚さ方向後端層を竹（本例ではモウソウチクを使用）からなる第３竹材層１１４としたものである。その他の点は図１に示した中段棚用前框と同様であるから、図２において図1と同一の構成部分には、同一の参照符号を付してその説明を省略する。
【００２８】
本例では、第１竹材層１０４の厚みは３ｍｍ、第１木材層１０６の厚みは７ｍｍ、第２竹材層１０４の厚みは３ｍｍ、第２木材層１１０の厚みは１４ｍｍ、第３竹材層１１４の厚みは３ｍｍである。
【００２９】
（第３実施形態）
図３は、本発明に係る枕棚用前框の一実施形態を示す断面図である。本例の枕棚用前框２００は、図６に示した枕棚用前框と同形状のものであり、後面上下中間部に長手方向に沿って係合溝２０２が設けられ、棚板本体が固定される前側受桟の前端部が上記係合溝２０２に挿入されるものである。
【００３０】
本例の枕棚用前框２００は、竹（本例ではモウソウチクを使用）からなる竹材層と、早成樹植林木（本例ではファルカタを使用）からなる木材層とを交互に積層した３層構造の複層材により形成されている。具体的には、上記複層材は、いずれも単板状の第１竹材層（厚さ方向前端層）２０４、木材層２０６および第２竹材層（厚さ方向後端層）２０８を接着剤により接合したものである。本例では、第１竹材層２０４の厚みは３ｍｍ、木材層２０６の厚みは２４ｍｍ、第２竹材層２０８の厚みは３ｍｍであるが、これらの層の厚みは適宜設定することができる。また、本例では、各層の接着面に、鋸刃によるエンボス加工によって凹凸が設けられている。
【００３１】
本例の枕棚用前框２００を用いた枕棚の施工方法は、図６に示したのと同様である。
【００３２】
（第４実施形態）
図４は、本発明に係る枕棚用前框の他の実施形態を示す断面図である。本例の枕棚用前框２５０は、図３に示した中段棚用前框において、木材層２０６の厚みを薄く、第２竹材層２０８の厚みを厚くすることにより、係合溝２０２の底壁面２１０に、第２竹材層２０８を露出させたものである。その他の点は図３に示した枕棚用前框と同様であるから、図４において図３と同一の構成部分には、同一の参照符号を付してその説明を省略する。
【００３３】
本例では、第１竹材層２０４の厚みは３ｍｍ、木材層２０６の厚みは２１ｍｍ、第２竹材層２０８の厚みは６ｍｍである。
【００３４】
なお、本発明の中段棚用前框および枕棚用前框の形状は、前述した実施形態に限定されるものではなく、必要に応じて種々の変更が可能である。
【符号の説明】
【００３５】
１００  中段棚用前框
１０２  係合溝
１０４  第１竹材層（厚さ方向前端層）
１０６  第１木材層
１０８  第２竹材層（厚さ方向中間層）
１１０  第２木材層
１１２  係合溝の前壁面
１５０  中段棚用前框
２００  枕棚用前框
２０２  係合溝
２０４  第１竹材層（厚さ方向前端層）
２０６  木材層
２０８  第２竹材層（厚さ方向後端層）
２１０  係合溝の底壁面
２５０  枕棚用前框
【図１】
2013185362.tif 000003
【図２】
2013185362.tif 000004
【図３】
2013185362.tif 000005
【図４】
2013185362.tif 000006
【図５】
2013185362.tif 000007
【図６】
2013185362.tif 000008